(57)【特許請求の範囲】
【請求項１】
入力されたａ個（ａは複数）のデジタル信号の内の全てあるいは一部を選択して出力するデジタル信号出力方法において、
前記ａ個のデジタル信号のそれぞれ、あるいは、複数単位でコピー制御情報がｎ個付加されており、前記ｎ個のコピー制御情報がｍ種類（ｍはｎ以下の整数）のコピー制御情報の内のいずれかであるときに、出力するデジタル信号全体のコピー制御情報とそのコピー制御情報に対応して出力可能な一つあるいは複数の前記デジタル信号のｍ組の組合せの内から一つの組合せを設定あるいは選択して出力することを特徴とするデジタル信号出力方法。
【請求項２】
前記ｎ個のコピー制御情報は、前記複数のデジタル信号全体に付加されているコピー情報と、前記デジタル信号に個別に付加されているコピー情報を含むことを特徴とする請求項１記載のデジタル信号出力方法。
【請求項３】
前記デジタル信号にコピー制御情報が付加されていない場合には、特定の種類のコピー制御情報が付加されているものとみなすことを特徴とする請求項１記載のデジタル信号出力方法。
【請求項４】
出力するデジタル信号全体のコピー制御情報とそのコピー制御情報に対応して出力可能な一つあるいは複数の前記デジタル信号のｍ組の組合せの内から一つの組合せを設定あるいは選択して出力する時に、出力する前記デジタル信号全体に対し新たにコピー制御情報を付加して出力することを特徴とする請求項１記載のデジタル信号出力方法。
【請求項５】
出力するデジタル信号全体のコピー制御情報とそのコピー制御情報に対応して出力可能な一つあるいは複数の前記デジタル信号のｍ組の組合せの内から一つの組合せを設定あるいは選択する際、外部より操作することを特徴とする請求項１記載のデジタル信号出力方法。
【請求項６】
前記ａ個のデジタル信号のそれぞれ、あるいは、複数単位でコピー制御情報がｎ個付加されている時に、出力可能な組合せ、あるいは選択した組合せを外部あるいは内部の表示装置に表示することを特徴とする請求項１記載のデジタル信号出力方法。
【請求項７】
出力された前記デジタル信号を記録媒体上に記録することを特徴とする請求項１記載のデジタル信号出力方法。
【請求項８】
入力されたａ個（ａは複数）のデジタル信号の内の全てあるいは一部を選択して出力するデジタル信号出力装置において、
前記ａ個のデジタル信号のそれぞれ、あるいは、複数単位でコピー制御情報がｎ個付加されており、前記ｎ個のコピー制御情報がｍ種類（ｍはｎ以下の整数）のコピー制御情報の内のいずれかであるときに、出力するデジタル信号全体のコピー制御情報とそのコピー制御情報に対応して出力可能な一つあるいは複数の前記デジタル信号の組の組合せの内から一つの組合せを設定あるいは選択する制御回路と、
前記制御回路で設定あるいは選択した組合せに応じて前記複数のデジタル信号の内の全てあるいは一部を選択して出力デジタル信号を生成する選択回路を設けたことを特徴とするデジタル信号出力装置。
【請求項９】
前記選択回路は、前記出力デジタル信号全体に対し新たにコピー制御情報を付加して出力することを特徴とする請求項８記載のデジタル信号出力装置。
【請求項１０】
前記制御回路は、外部からの操作により出力するデジタル信号全体のコピー制御情報とそのコピー制御情報に対応して出力可能な一つあるいは複数の前記デジタル信号のｍ組の組合せの内から一つの組合せを設定あるいは選択を行うことを特徴とする請求項８記載のデジタル信号出力装置。
【請求項１１】
前記制御回路は、前記ａ個のデジタル信号のそれぞれ、あるいは、複数単位でコピー制御情報がｎ個付加されている時に、出力可能な組合せ、あるいは選択した組合せを外部あるいは内部の表示装置に表示することを特徴とする請求項８記載のデジタル信号出力装置。
【請求項１２】
前記出力信号を記録媒体上に記録する記録装置を設けたことを特徴とする請求項８記載のデジタル信号出力装置。
【請求項１３】
入力されたａ個（ａは複数）のデジタル信号の内の全てあるいは一部を選択して出力するデジタル信号出力方法において、
前記ａ個のデジタル信号のそれぞれ、あるいは、複数単位でコピー制御情報がｎ個付加されており、前記ｎ個のコピー制御情報がｍ種類（ｍはｎ以下の整数）のコピー制御情報の内のいずれかであるときに、出力するデジタル信号全体のコピー制御情報とそのコピー制御情報に対応して出力可能な一つあるいは複数の前記デジタル信号のｍ組の組合せの内から複数の組合せを設定あるいは選択し、複数系統の信号を出力することを特徴とするデジタル信号出力方法。
【請求項１４】
前記複数系統の信号は、同一の端子から多重して出力することを特徴とする請求項１３記載のデジタル信号出力方法。
【発明の詳細な説明】
【０００１】
【発明の属する技術分野】
本発明は、デジタル信号をデジタルインターフェースより出力する出力方法及び装置に関し、特にデジタル映像または音声信号を出力する出力方法及び装置に関するものである。
【０００２】
【従来の技術】
受信したデジタル放送信号をデジタルインターフェースより出力すること、及び、出力された信号を記録装置に記録する時にコピーの制御を行うデジタル放送受信方法が、特開平９−２４７６１６号公報に記載されている。このデジタル放送受信方法では、デジタル放送受信装置で受信し、復調したデジタル信号を、デジタルインターフェースを介して記録装置に入力して記録するデジタル放送受信システムにおいて、放送信号に記録許可信号を挿入して放送し、受信したときに、その記録許可信号を検出してコピー制御を行っている。
【０００３】
【発明が解決しようとする課題】
しかしながら、同時に出力あるいは記録する映像や音声、データ等でコピー制御の内容が異なる場合については考慮されていない。また、デジタルインターフェースによって記録装置と表示装置に同時に伝送するような場合についても考慮されていない。
【０００４】
本発明の目的は、映像や音声、データ等でコピー制御の内容が異なる場合、あるいは、デジタルインターフェースによって記録装置と表示装置に同時に伝送するような場合にもコピー制御が可能なデジタル信号出力方法及び装置を提供することにある。
【０００５】
【課題を解決するための手段】
上記目的は、特許請求の範囲に記載の構成により達成できる。
【０００６】
【発明の実施の形態】
以下、本発明の実施例を図面を用いて説明する。
【０００７】
図１は、本発明のデジタル信号出力装置を記録装置及び表示装置と接続した時の実施例である。
【０００８】
２００はデジタル放送信号を受信してデジタルインターフェースより出力するデジタル信号出力装置、２０１は受信したデジタル放送信号の復調を行う復調回路、２０２は復号のための選択回路、２０３は復号回路、２０４はデジタルインターフェース出力のための選択回路、２０５はインターフェース回路、２０６は制御回路、２１０はモニタ装置、２２０はデジタルＶＴＲあるいはデジタルディスクレコーダのようなデジタル信号記録再生装置、２３０はデジタルインターフェース及び復号回路を内蔵したモニタ装置、２３１は選択回路、２３２は復号回路、２３３はモニタである。
【０００９】
デジタル放送信号は、圧縮されたデジタル映像信号やデジタル音声信号等がパケット形式のデータで、１チャンネルの信号あるいは複数チャンネルの信号が時分割多重された信号が伝送される。デジタル放送の受信時には、アンテナによって受信された受信電波が入力端子２０７より復調回路２０１に入力される。復調回路２０１では、受信する周波数の電波の復調を行い、デジタル放送信号を復調して選択回路２０２及び２０４に出力する。選択回路２０２では、デジタル放送信号より受信するチャンネルのデジタル映像信号、デジタル音声信号あるいはデジタルデータ信号を選択する。デジタル映像信号及びデジタル音声信号は、復号回路２０３に出力され、アナログ映像信号及びアナログ音声信号に変換して出力端子２０８よりモニタ装置２１０に出力する。なお、復号された映像信号または音声信号をアナログ信号に変換しないでデジタル信号として出力してもよい。また、デジタルデータ信号は、制御回路２０６に入力され、データ情報の映像信号への付加、例えば、字幕情報の付加等の処理が行われる。選択回路２０４では、デジタルインターフェースより出力する信号の選択及びインターフェースより出力するために必要な信号の付加、修正を行ってインターフェース回路２０５に出力する。インターフェース回路２０５では、その信号を出力端子２０９を介してデジタル信号記録装置２２０に出力して記録する。また、モニタ装置２３０に出力する。モニタ装置２３０に内蔵した選択回路２３１及び復号回路２３２は、選択回路２０２及び復号回路２０３と同様の動作を行いデジタル映像信号及びデジタル音声信号の復号を行う。なお、図示していないが、制御回路２０６と同様の制御回路でデジタルデータ信号の処理も行うことができる。
【００１０】
デジタル記録再生装置２２０に記録されたデジタル信号の再生時には、デジタル記録再生装置２２０より再生されたデジタル信号がインターフェース回路２０５を介して選択回路２０２に入力される。そして、デジタル放送信号の受信時と同様の処理を行い、復号を行う。また、モニタ装置２３０において復号を行ってもよい。
【００１１】
なお、デジタル放送信号は、デジタル映像信号にデジタル音声信号とデジタルデータ信号が付加された信号でなくても、デジタル映像信号にデジタル音声信号が付加された信号、あるいは、デジタル音声信号にデジタルデータ信号が付加された信号でもよい。
【００１２】
また、装置の形態は、デジタル信号出力装置２００とデジタル信号記録再生装置２２０あるいはモニタ装置２１０とが一体となっている装置でもよい。さらには、デジタル信号出力装置は、受信したデジタル放送信号を出力する装置でなくても、例えば、記録媒体から再生した信号を出力する装置等でもよい。
【００１３】
図２は、デジタル放送信号のパケットの構成である。１パケットは固定長、例えば、１８８バイトで構成されており、４バイトのパケットヘッダ３０６と１８４バイトのパケット情報３０７により構成されている。デジタル映像信号は、パケット情報３０７の領域に配置される。また、パケットヘッダ３０７はパケット情報の種類等の情報により構成される。
【００１４】
図３は、パケットヘッダ３０６の構成である。５０１はパケットの先頭を示す同期バイト、５０２は誤りの有無を示す誤り表示、５０３はユニットの開始を示すユニット開始表示、５０４はパケットの重要度を示すパケットプライオリティ、５０５はパケットの種類を示すパケットＩＤ、５０６はスクランブルの有無を示すスクランブル制御、５０７は追加情報の有無及びパケット情報の有無を示すアダプテーションフィールド制御、５０８はパケット単位でカウントアップされる巡回カウンタである。
【００１５】
図４（ａ）は、デジタル放送の伝送信号の構成例である。７１は図２のパケットである。通常、上記映像信号、音声信号にデータ信号プログラムに関する情報等が付加され、複数チャンネルのプログラムが時分割多重されて伝送される。図４（ａ）は、３チャンネルのプログラムを多重した例であり、Ｖ１、Ｖ２、Ｖ３はそれぞれのチャンネルの映像信号、Ａ１、Ａ２、Ａ３はそれぞれのチャンネルの音声信号、Ｄ１は第１チャンネルのデータ信号パケットである。なお、映像、音声またはデータは、一つのチャンネルに複数の映像または音声で構成されている場合もある。Ｐ０、Ｐ１、Ｐ２、Ｐ３はプログラムに関する情報である。それぞれのパケットは、異なるパケットＩＤ５０５が割り当てられており、これによりパケットの内容を識別することができる。
【００１６】
Ｐ０は、図４（ａ）の伝送信号全体に関する情報であり、それぞれのプログラムにどのパケットＩＤが割り当てられているかを認識するためのプログラムアソシエーションテーブルである。Ｐ１、Ｐ２、Ｐ３は、それぞれのプログラムに関する情報であり、そのチャンネルの映像パケット、音声パケット等にどのパケットＩＤが割り当てられているかを認識するための情報、各信号のコピー制御情報等よりなるプログラムマップテーブルである。通常、プログラムアソシエーションテーブルのパケットＩＤは決まった値、例えば０が割り当てられている。ＳＩは、どの放送かを識別するためのネットワーク情報、番組ガイド情報等のサービス情報である。
【００１７】
受信時には、サービス情報を確認すると共に、プログラムアソシエーションテーブルによって受信したいプログラムのプログラムマップテーブルにどのパケットＩＤが割り当てられているかを認識し、次に、受信したいプログラムのプログラムマップテーブルによって映像パケット、音声パケット等にどのパケットＩＤが割り当てられているかを認識する。そして、映像パケットおよび音声パケットを抽出して復号を行う。また、同時にデジタルインターフェースより出力する時のコピー制御を行う。
【００１８】
もちろん、多重するチャンネル数は３チャンネル以外、例えば４チャンネルでもよいし、また、これ以外の情報を多重してもよい。
【００１９】
図４（ｂ）は、図４（ａ）から第１のチャンネルの情報およびそれに関連したプログラム情報のみを選択したものである。図４（ｃ）は、図４（ｂ）からパケットの情報の一部を変更したものである。プログラムアソシエーションテーブルの情報を記録するプログラムのみの情報Ｐ０’に変更する。また、記録する番組に関連した情報等を新たに生成してＳＩ’として追加している。第１のチャンネルをデジタルインターフェースより出力する場合には、選択回路２０４でこの選択及び変更を行い、インターフェース回路２０５を介して出力する。もちろん、これ以外の情報を含めて出力してもよい。
【００２０】
コピー制御情報は、例えば、２ビットの情報を用い、コピー可、１回コピー可、コピー禁止の３状態を表すようにする。なお、コピー制御情報がない場合にはコピー可あるいはコピー禁止であることを表すようにしてもよい。１回コピー可の場合には、記録する時にコピー制御情報をコピー禁止に変更して記録することにより、２回目以降のコピーを禁止することができる。また、コピー制御情報は、プログラムマップテーブルで識別している全ての信号に対するものと、それぞれの信号に対するものがある。しかし、記録機器では、コピー制御、すなわち、記録するかしないかは記録する信号全体でしか制御できない。
【００２１】
例えば、表１のように、全体はコピー可であるが、データ信号のみ１回コピー可の場合が考えられる。なお、ここでは、信号別の指定がない場合は、全体のコピー制御情報によるとしている。もちろん、全ての信号にコピー制御情報を付加してもよい。
【００２２】
【表１】
0003829574.tif 000002
【００２３】
出力方法１では、信号のコピー制御をコピー制限が厳しくないもの、すなわち、コピー可とし、そのコピー制限で出力可能な信号、すなわち、映像信号、音声信号のみを出力する。これにより、出力される信号は制限されるが、コピーの制限を緩和することができる。
【００２４】
出力方法２では、信号のコピー制御をコピー制限が厳しいもの、すなわち、１回コピー可とし、そのコピー制限で出力可能な信号、すなわち、映像信号、音声信号、データ信号を出力する。これにより、コピーの制限は厳しくなるが、多くの信号を出力あるいは記録することができる。さらに、出力された信号をモニタ装置２３０等で復号して表示する場合に、全ての信号が出力されているので、信号出力装置２００で受信した信号を復号する場合と同一の機能を実現することができる。
【００２５】
なお、出力可能な信号を全て出力しなくてもよい。例えば、出力方法２において、データ信号が映像信号あるいは音声信号に直接関係のあるものと直接関係のないものがある場合に、直接関係のないデータは出力しないようにしてもよい。
【００２６】
出力時あるいは記録時の信号全体のコピー制御情報は、デジタルインターフェースの出力信号あるいは記録媒体への記録信号上の所定の位置、例えば、ヘッダ領域等に付加すればよい。もちろん、付加するコピー制御情報は同一の情報を表すものであれば異なる形式であってもよい。
【００２７】
出力方法１と出力方法２のどちらを用いるかは、装置の機能として予め設定しておいてもよいが、ユーザが設定できるようにしておくことにより、より多くの場合に対応することが可能となる。設定方法としては、装置の機能の設定で、どの出力方法を用いるか、あるいは、どの出力方法を標準の出力方法とするかを設定することができる。さらには、標準の出力方法が設定されている場合、あるいは、設定がされていないか設定の機能がない場合に、信号によってコピー制御情報が異なっている場合には、そのことを、モニタ装置等にメッセージとして表示し、あるいは、選択画面として表示し、ユーザがどの出力方法を用いるかを選択できるようにすることができる。例えば、コピーの制限をしたくない場合は出力方法１を選択し、多くの信号を記録したい場合、あるいは、コピー以外の他のモニタ装置での復号等を行う場合は出力方法２を選択すればよい。また、予め設定してある場合、あるいは、選択した時に、設定あるいは選択した出力方法を表示するようにしてもよい。
【００２８】
なお、設定あるいは選択は、図示していないが、デジタル信号出力装置２００のキーあるいはリモートコントローラ等によって、制御回路２０６を制御して行えばよい。また、デジタルインターフェースによって、他の装置から設定あるいは選択することこともできる。
【００２９】
表２は、出力方法の第２の例である。
【００３０】
【表２】
0003829574.tif 000003
【００３１】
表２では、２種類の音声があり、全体はコピー可であるが、第２音声信号は１回コピー可、データ信号はコピー禁止となっている。この場合には、３種類の出力方法が選択あるいは設定可能である。出力方法１では、信号のコピー制御をコピー可とし、そのコピー制限で出力可能な信号、すなわち、映像信号、第１音声信号のみを出力する。出力方法２では、信号のコピー制御をコピー制限を１回コピー可とし、そのコピー制限で出力可能な信号、すなわち、映像信号、第１音声信号、第２音声信号を出力する。出力方法３では、信号のコピー制御をコピー禁止とし、そのコピー制限で出力可能な信号、すなわち、映像信号、第１音声信号、第２音声信号、データ信号を出力する。出力方法３ではコピーはできないが、出力された信号をモニタ装置２３０で復号して表示する場合等に有効である。
【００３２】
なお、設定あるいは選択は、３種類全てができるようにしてもよいし、その内の２種類、例えば、出力方法１と出力方法３のいずれかができるようにしてもよい。
【００３３】
表３は、出力方法の第３の例である。
【００３４】
【表３】
0003829574.tif 000004
【００３５】
表３では、全体はコピー禁止であるが、データ信号はコピー可となっている。この場合には、２種類の出力方法が選択あるいは設定可能である。出力方法１では、信号のコピー制御をコピー可とし、そのコピー制限で出力可能な信号、すなわち、データ信号のみを出力する。出力方法１では映像信号及び音声信号のコピーはできないが、図示していないがデジタル信号出力装置２００にコンピュータ等が接続されており、そこでデータ信号の処理を行う場合等に有効である。出力方法２では、信号のコピー制御をコピー禁止とし、そのコピー制限で出力可能な信号、すなわち、映像信号、音声信号、データ信号を出力する。出力方法２ではコピーはできないが、出力された信号をモニタ装置２３０で復号して表示する場合等に有効である。
【００３６】
なお、デジタルインターフェースを複数系統用意し、それぞれ、異なる出力方法で出力することも可能である。例えば、表３の例において、第１系統では出力方法１でモニタ装置２３０に出力し、第２系統では出力方法２でコンピュータに出力することも可能である。複数系統の信号は、複数の端子より出力してもよいが、同一の端子から多重して出力してもよい。
【００３７】
また、ここでは一つのプログラムマップテーブルで認識される信号について説明したが、複数のプログラムマップテーブルで認識される信号、例えば、図４の第１チャンネルと第２チャンネルをデジタルインターフェースより出力する場合においても、それぞれのチャンネルのコピー制御情報が異なる時には、同様に複数の出力方法の内のいずれかを設定あるいは選択して出力することができる。
【００３８】
さらには、出力端子２０８より出力される映像信号や音声信号においてもコピー制御を行うことが考えられるが、この場合には、その映像信号または音声信号のコピー制御情報によってコピー制御を行えばよい。複数の映像信号または音声信号を組合せて出力する場合には、主となる映像信号または音声信号のコピー制御情報に従ってもよいし、もっとも厳しいコピー制御情報に従ってもよい。
【００３９】
図５は、デジタル信号記録再生装置２２０がデジタルＶＴＲである場合の構成例である。図５は記録再生兼用の装置であるが、もちろん、記録と再生が独立していても同様である。１００は回転ヘッド、１０１はキャプスタン、１０２ａは記録時の記録信号の生成を行う記録信号処理回路、１０２ｂは再生時の再生信号の復調を行う再生信号処理回路、１０４は記録再生モード等の制御を行う、例えば、マイクロプロセッサのような制御回路、１０５は回転ヘッド１００の回転等の基準となるタイミング信号を生成するタイミング生成回路、１０６は回転ヘッド及びテープの送り速度を制御するサーボ回路、１１１は磁気テープである。
【００４０】
記録時には、入出力端子２１１より入力されたパケットデータは、記録信号処理回路１０２ａ及び制御回路１０４に入力される。制御回路１０４では、パケットデータの情報によりパケットデータの種類等を検出し、検出結果によって記録モードを判断し、記録信号処理回路１０２ａ及びサーボ回路１０６の動作状態を設定する。また、コピー制御情報により、コピーの制御を行う。コピー可の時にはそのまま記録し、１回コピー可の時にはコピー制御情報をコピー禁止に変更して記録し、コピー禁止の時には記録を停止する。記録信号処理回路１０２ａでは、制御回路１０４で判断された記録状態に応じて、誤り訂正符号、ＩＤ情報、サブコード等の生成を行い、記録信号を生成して回転ヘッド１００により磁気テープ１１１に記録する。
【００４１】
再生時には、まず、再生信号処理回路１０２ｂでＩＤ情報を検出する。そして、制御回路１０４でどのような状態で記録されたかを判断し、再生信号処理回路１０２ｂ及びサーボ回路１０６の動作状態を再設定して再生を行う。再生信号処理回路１０２ｂでは、回転ヘッド１００より再生された再生信号より、同期信号の検出、誤り検出訂正等を行い、出力端子１０８ｂより出力する。
【００４２】
図６は、１トラックの記録パターンである。３は時間情報、プログラム情報等のサブコードを記録するサブコード記録領域、７はデジタル圧縮映像信号を記録するデータ記録領域、２及び６はそれぞれの記録領域のプリアンブル、４及び８はそれぞれの記録領域のポストアンブル、５はそれぞれの記録領域の間のギャップ、１及び９はトラック端のマージンである。
【００４３】
図７はデータ記録領域７のブロック構成である。２０は同期信号、２１はＩＤ情報、２２はデータ、２３は第１の誤り検出訂正のためのパリティ（Ｃ１パリティ）である。例えば、同期信号２０は２バイト、ＩＤ情報２１は３バイト、データ２２は９９バイト、パリティ２３は８バイトで構成されており、１ブロックは１１２バイトで構成されている。
【００４４】
図８は、データ記録領域７における１トラックのデータの構成である。なお、ここでは、図７の同期信号２０およびＩＤ情報２１は省略している。データ記録領域７は、例えば、３３６ブロックで構成されており、最初の３０６ブロックにデータ４１を、次の３０ブロックに第２の誤り訂正符号（Ｃ２パリティ）４３を記録する。Ｃ２パリティ４３は、例えば、６トラック単位で、３０６ブロック×６トラックのデータを１８分割し、それぞれの１０２ブロックに１０ブロックのＣ２パリティを付加する。誤り訂正符号は、例えばリードソロモン符号を用いればよい。各ブロック９９バイトのデータは、３バイトのコピー制御情報等よりなうヘッダ４４と９６バイトのデータ４１により構成されている。
【００４５】
図９は、本発明のデジタル信号出力装置の他の実施例である。図９では、デジタル信号記録再生装置２２０を内蔵しており、記録信号は選択回路２０４から直接デジタル信号記録再生装置２２０に入力される。この場合には、デジタルインターフェースからの出力方法とデジタル信号記録再生装置２２０への記録信号の出力方法を独立して設定あるいは選択できる。例えば、表１の例において、記録は出力方法１で行い、デジタルインターフェースからの出力は出力方法２でモニタ装置２３０等に出力することができる。
【００４６】
【発明の効果】
本発明によれば、同時に出力あるいは記録する複数の映像や音声、データ等の信号でコピー制御の内容が異なる場合においても、記録あるいは外部の表示装置への伝送等の目的に対応させてコピー制御情報及び出力する信号を設定あるいは選択することにより、その目的に最適な信号の出力を実現することができる。
【図面の簡単な説明】
【図１】本発明のデジタル信号出力装置を記録装置及び表示装置と接続した時の構成図である。
【図２】デジタル映像圧縮信号のパケットの構成図である。
【図３】パケットヘッダの構成図である。
【図４】デジタル放送の伝送信号及び伝送信号より選択された信号の構成図である。
【図５】デジタル信号記録再生装置の構成例である。
【図６】１トラックの記録パターンを示す図である。
【図７】データ記録領域のブロックの構成図である。
【図８】データ記録領域における１トラックのデータの構成図である。
【図９】本発明のデジタル信号出力装置の他の構成図である。
【符号の説明】
７１…パケット、２００…デジタル信号出力装置、２０１…復調回路、２０２…選択回路、２０３…復号回路、２０４…選択回路、２０５…インターフェース回路、２０６…制御回路、２１０…モニタ装置、２２０…デジタル信号記録再生装置、２３０…モニタ装置、２３１…選択回路、２３２…復号回路、２３３…モニタ、３０６…パケットヘッダ、３０７…パケット情報、５０５…パケットＩＤ
【図１】
0003829574.tif 000005
【図２】
0003829574.tif 000006
【図３】
0003829574.tif 000007
【図４】
0003829574.tif 000008
【図５】
0003829574.tif 000009
【図６】
0003829574.tif 000010
【図７】
0003829574.tif 000011
【図８】
0003829574.tif 000012
【図９】
0003829574.tif 000013